【事件の表示】
　平成　７年特許願第２８０３９４号「画像処理装置」拒絶査定不服審判事件〔平成　９年　５月１６日出願公開、特開平　９−１３０７２６、請求項の数（９）〕について、次のとおり審決する。
【結　論】
　原査定を取り消す。
　本願の発明は、特許すべきものとする。
【理　由】
１．経緯  
　
（１）手続  
　本願は、平成７年１０月２７日の出願である。  
　本件は、本願についてされた拒絶査定（平成１７年８月１６日付け）を不服とする平成１７年９月１６日の請求である。  
　
（２）査定  
　原査定の理由は、概略、下記のとおりである。  
　　　　　　記（査定の理由）  
　請求項１から請求項９までに係る発明は、下記刊行物に記載された各発明に基づいて当業者が容易に発明をすることができたものであるから、特許法第２９条第２項の規定により、特許を受けることができない。  
　　　　　　記  
　刊行物１：特開平４−７０２８８号公報  
　刊行物２：特開平４−２１２５８２号公報
　
２．本願発明  
　本願の請求項１から請求項９までに係る発明（以下「本願各発明」という。）は、本願明細書（平成１７年３月２日付け、及び平成１７年７月１４日付け手続補正書により補正された明細書及び図面）の記載からみて、その特許請求の範囲の請求項１から請求項９までに記載した事項により特定される次のとおりのものと認める。  
　　　　　　記（特許請求の範囲）  
　　【請求項１】　複数の画像データを記憶する電子カメラに接続される画像処理装置であって、
　前記電子カメラに記憶された複数の画像データの各々を指定するコマ番号を表示部に一覧表示する表示制御手段と、
　該表示制御手段により表示部に一覧表示されている複数のコマ番号のうちの所望するコマ番号を任意に選択する選択手段と、
　該選択手段によって選択されたコマ番号を前記電子カメラに送信するコマ番号送信手段と、
　前記電子カメラからの画像データの取り込みを指示する取込指示手段と、
　該取込指示手段により取り込みが指示された場合、取込信号を前記電子カメラに送信する取込信号送信手段と、
　前記コマ番号送信手段により送信されたコマ番号と前記取込信号送信手段により送信された取込信号とを受信する電子カメラが前記取込信号を受信した場合に送信する前記受信したコマ番号に対応する画像データを受信する画像受信手段と、
　該画像受信手段により受信された画像データを保存記憶する保存手段と、
　を具備したことを特徴とする画像処理装置。
　　【請求項２】　前記電子カメラとの接続がなされているか否かを判断する判断手段をさらに具備し、
　前記表示制御手段は、前記判断手段により前記電子カメラとの接続がなされていると判断された場合に前記電子カメラに記憶された複数の画像データの各々を指定するコマ番号を一覧表示することを特徴とする請求項１記載の画像処理装置。
　　【請求項３】　前記電子カメラは、
　前記コマ番号送信手段により送信されたコマ番号を受信するコマ番号受信手段と、
　前記取込信号送信手段により送信された取込信号を受信する取込信号受信手段と、
　この取込信号受信手段により取込信号が受信された場合、前記コマ番号受信手段により受信されたコマ番号に対応する画像データを送信する画像送信手段とを含み、
　前記画像受信手段は、前記画像送信手段により送信された画像データを受信することを特徴とする請求項１又は２記載の画像処理装置。
　　【請求項４】　前記電子カメラは、
　前記コマ番号受信手段により受信されたコマ番号に対応する画像データを表示する表示手段を含むことを特徴とする請求項３記載の画像処理装置。
　　【請求項５】　前記表示制御手段は、
　前記画像受信手段により受信された画像データを表示部に表示する手段を含むことを特徴とする請求項１乃至４の何れかに記載の画像処理装置。
　　【請求項６】　前記表示制御手段は、
　前記複数のコマ番号と前記画像受信手段により受信された画像データとを同一画面上に表示する手段を含むことを特徴とする請求項５記載の画像処理装置。
　　【請求項７】　前記表示制御手段により表示部に表示されている画像データに対する付属文字情報を任意に入力する入力手段をさらに具備し、
　前記保存手段は、
　前記入力手段により入力された付属文字情報を前記画像受信手段により受信された画像データと対応付けて保存記憶する手段を含むことを特徴とする請求項５又は６記載の画像処理装置。
　　【請求項８】　前記表示制御手段により表示部に表示されている画像データに対して、入力手段による入力に応じて任意に加工処理する画像加工手段をさらに具備し、
　前記保存手段は、前記画像加工手段により加工処理された画像データを保存記憶する手段を含むことを特徴とする請求項５乃至７の何れかに記載の画像処理装置。
　　【請求項９】　前記画像受信手段により受信された画像データのデータ形式を当該画像処理装置で取り扱うデータ形式に変換するデータ形式変換手段をさらに具備し、
　前記保存手段は、前記データ形式変換手段によりデータ形式が変換された画像データを保存記憶する手段を含むことを特徴とする請求項１乃至８の何れかに記載の画像処理装置。
 　  
３．当審の判断  
　
（１）本願各発明について  
　（ａ）主要構成          
　査定で引用された各刊行物のいずれにも、本願各発明が備える下記の主要構成は記載されていない。また、各刊行物を組み合わせても、同主要構成を導くことはできない。
　　　　　　記（本願各発明が備える主要構成） 
　選択手段によって選択されたコマ番号を電子カメラに送信するコマ番号送信手段と、電子カメラからの画像データの取り込みを指示する取込指示手段と、取込指示手段により取り込みが指示された場合、取込信号を電子カメラに送信する取込信号送信手段と、コマ番号送信手段により送信されたコマ番号と取込信号送信手段により送信された取込信号とを受信する電子カメラが取込信号を受信した場合に送信する受信したコマ番号に対応する画像データを受信する画像受信手段と、を備えること。
　
　（ｂ）技術上の意義、主要構成の前提、効果等
　上記主要構成は、電子カメラは、選択されたコマ番号を受信するだけでなくこれとは別の取込信号を受信して初めて受信したコマ番号に対応する画像データを送信するものであって、これら２つのステップを踏んで画像を送信受信することを要件として規定するものである。
　画像を取込むのに、このように２つのステップを踏む技術上の意義は、取込む前に選択したコマ番号の画像の確認作業を担保することであるから、
　上記主要構成は、
　コマ番号の選択をする前は画像を確認できていないこと、
　コマ番号の選択によって、取込む前に取込まずともそのコマ番号の画像が確認可能であること
　を前提とするものである。
　このことは、本願明細書の「【００２８】ここで、操作者は、電子カメラ１０の液晶ディスプレィ１２に表示された画像を見て、それが所望のものかどうか確認する。そして、そうでなければ、再びパソコン１００の入力部１０２より別のコマ番号を入力することになる。しかして、上記ステップＳ１１０において、取込キー以外の操作、即ち、他のコマ番号の選択操作の際は、上記ステップＳ１０６に戻り、そのコマ番号の入力を受け付け、上記ステップＳ１０８にてその新しく入力されたコマ番号を再び電子カメラ１０側に送信する。
　【００２９】電子カメラ１０側では、ステップＳ１６において、この新しいコマ番号を受信すると、上記ステップＳ１２に戻り、それに対応する画像データを読み出して、ステップＳ１４で液晶ディスプレィ１２に表示する。
　【００３０】こうして、操作者は、パソコン１００側への取り込みを望む画像データが電子カメラ１０の液晶ディスプレィ１２に表示されると、パソコン１００の入力部１０２よりその画像データの取り込みを指示する。即ち、取込キーが操作（表示部１０４の取込キー表示エリアをマウスカーソルで指定する操作）されると、ＣＰＵ１１０は、取込信号をＩ／Ｆ１０８によりケーブルＣＡを介して電子カメラ１０に送信し（ステップＳ１１２）、画像データの受信待ちとなる（ステップＳ１１４）。
　【００３１】電子カメラ１０側では、ステップＳ１８において、この取込信号が受信されると、画像データメモリ２０に記憶されている複数の画像データのうち、先に受けたコマ番号に対応する画像データを、Ｉ／Ｆ２４より接続ケーブルＣＡを介してパソコン１１０に送信する（ステップＳ２０）。その後は、上記ステップＳ１０に戻って、次のコマ番号の受信待ちとなる。」（段落0028〜0031）から明らかである。
　
　そして、本願各発明は、上記前提事項を前提として、上記主要構成を備えることにより、「電子カメラからの画像取り込みから保存までの一連の処理をスムーズに行うことができる。」（本願明細書段落0037）、「電子カメラからの取り込みに先立って、電子カメラ側の小型ディスプレィで確認できる。この場合、電子カメラ側の表示機能をそのまま利用するので、高速に表示することができる。」（段落0039）」等の明細書に記載の作用効果を奏するものと認められる。
　
　（ｃ）以上によれば、本願各発明は、いずれも、上記各刊行物に記載された発明に基づいて当業者が容易に発明をすることができたものであるとすることはできない。  
 　  
（２）引用刊行物の記載
　各刊行物の記載について見ておく。  
　
　（ａ）刊行物１
　（ａ１）刊行物１（特開平４−７０２８８号公報）には、「撮影画像記録再生システム」に関し、図面と共に次に掲げる事項が記載されている。  
　　「メモリカードＩ／Ｆ５１はメモリカード２６から再生機構へ記録画像、検索用情報及び該メモリカード２６の使用状況に関するデータを導くとともに、再生機側からメモリカード２６へ読出画像選択用データを導くためのインターフェースである。」（公報６頁左下欄１行〜行６）
　　「メモリカード２６が再生機に挿入されると（ステップ＃４１）、該メモリカード２６内の記録画像が順次読出される（ステップ＃４２）。読出された記録画像は特殊再生処理ｌ５５２でマルチ画面用に再生処理された後、ＴＶモニタ５７にマルチ表示される（ステップ＃４３）。マルチ表示は、１枚のフレームに所定のコマ数、あるいはメモリカード２６内の記録画像数に応じて設定されるコマ数が割り当てられることにより行われる。」（公報７頁右上欄４行〜１２行）
　　「第２５図は、目次の表示例で、メモリカード２６が再生機側に装着されると、同図に示すように記録順に（あるいは撮影コマ番号の順に）「日時」「時間」「場所」「音声有／無」「人名」等の内容がＴＶモニタ５７に表示される。この目次表示を基に画像の再生表示、あるいはファイリング装置６１への記録方法の選択が容易となる。」（公報１５頁左上欄１２行〜１８行）
　（ａ２）上記記載によれば、刊行物１には、メモリカードに記憶されている画像からファイリングする際に、メモリカード２６を再生機に挿入時、画像を読み出すのではなく、メモリカードに記憶されている画像の内容を撮影コマ番号の順に「日時」、「時間」、「場所」等の内容を目次表示し、この目次表示を基に画像の再生表示、あるいはファイリング装置への記録方法の選択を行うこと、すなわち、目次表示から再生用やファイリングの為にコマ番号を選択し、選択した画像が再生やファイリングされる技術が記載されている。
　（ａ３）刊行物１の「メモリカード」は、本願各発明における「電子カメラ」とは異なり、「送信」・「受信」するものではないが、この点の相違をひとまず措いて、刊行物１の「メモリカード２６」、「再生機」を、それぞれ、本願各発明の「画像処理装置」、「電子カメラ」に対応させることができたとしても、
　刊行物１のものは、目次表示から再生用やファイリングの為にコマ番号を選択してコマ番号選択信号を発生させた場合、そのコマ番号選択信号は実質的に読み出し指示信号と変わらず、この信号によりメモリカードから選択したコマ番号の画像が読み出されて再生またはファイリングされるものである。すなわち、そのコマ番号選択信号は、本願各発明の「取込み信号」がなくても読み出しをさせる信号であって、同信号によって本願各発明の「取込み信号」が奏する機能を既に達成してしまう信号であるから、刊行物１のものは、本願各発明とは異なり、１ステップで画像を取り込むものである。
　刊行物１のものは、上記主要構成の前提の１つである、コマ番号の選択する前は画像を確認できていないことは満足するものの、もう一つの前提である、コマ番号の選択によって、取込む前に取込まずともそのコマ番号の画像が確認可能であることを満足するものでなく、したがって、上記２つのステップを踏んで画像を送信受信することを示唆するものではなく、上記主要構成を示唆するものではない。
　結局、刊行物１のものは、メモリカードから画像データを取り込むものであり、本願各発明のような、電子カメラから送信された画像データを受信して取り込むものとは、その前提において異なる点をひとまず措くとしても、本願各発明の上記主要構成について記載がなく、示唆するものでもない。
　
　（ｂ）刊行物２
　（ｂ１）刊行物２（特開平４−２１２５８２号公報）には、「デイジタル電子スチルカメラ」に関し、図面と共に次に掲げる事項が記載されている。
　　「第３図に示すように、コンピュータ１に、画像データを転送するための機能部２（通信ポート）を設ける事が必要になる。このためカメラ３側にもＲＳ−２３２Ｃのような汎用通信機能部４（通信ポート）を設けなければならない。」（段落【０００５】）　
　（ｂ２）上記記載によれば、刊行物２には、コンピュータとカメラを接続し画像データを転送することが記載されているに止まり、本願各発明の上記主要構成について記載がなく、示唆もない。
　
　（ｃ）刊行物の組み合わせ
　各刊行物のいずれにも、本願各発明の上記主要構成について記載も示唆もないのであるから、各刊行物を組み合わせても、上記主要構成を導くことはできない。
　
４．むすび  
　以上、本願の請求項１から請求項９までに係る発明は、上記各刊行物に記載された発明に基づいて当業者が容易に発明をすることができたものである、という原査定の理由によっては本願を拒絶することはできない。  
　また、他に本願を拒絶すべき理由を発見しない。  
　よって、結論のとおり審決する。